(57)【要約】      （修正有）【課題】不特定多数の人が触れる可能性のある各種ハンディ端末を操作後、元の場所に置くだけで除菌を可能とする除菌装置を提供する。【解決手段】正面板２とガイド板４とを底面部３の前後両端から立垂させ、それらの中央部をハンディ端末載置部とし、荷重センサー１２によりハンディ端末の載置を感知すると、底面部の隣接下部空間に収納された光源６から深紫外線ＵＶ−Ｃが照射され、ハンディ端末７を除菌する構成とした。【選択図】図３
0003235436.tif 000002
【実用新案登録請求の範囲】
【請求項１】
光源からの深紫外線ＵＶ−Ｃを照射することにより載置部に置かれた対象物を除菌するものであって、載置部は底面部と、その底面部の一方の上端部から立垂させた正面板および底面部の他方の上端部から立垂させたガイド板とから成り、底面部の隣接下部空間に光源を収納し、底面部に設けた荷重センサーにより、除菌対象物が載置されたことを感知してＵＶ−Ｃ光を除菌対象物に向けて照射することを特徴とするハンディ端末除菌装置。
【請求項２】
請求項１において光源から発光される深紫外線ＵＶ−Ｃの波長は２２２ｎｍであることを特徴とするハンディ端末除菌装置。
【請求項３】
請求項１における除菌対象物は、スマートフォン、タブレット、各種リモコン装置、ハンディスキャナーまたは飲食店におけるメニュー／オーダー情報送受信用ハンディターミナルのいずれかであることを特徴とするハンディ端末除菌装置。
【請求項４】
請求項１における前記正面板の裏面にＬＥＤ光源を設けていることを特徴とする請求項のハンディ端末除菌装置。
【請求項５】
請求項１における正面板の裏面にエッチングを施して、そのエッチング部から深紫外線ＵＶ−Ｃが漏洩することを特徴とするハンディ端末除菌装置。
【考案の詳細な説明】
【考案の詳細な説明】
【技術分野】
【０００１】  本考案はスマートフォンやタブレット端末等、ハンディタイプの各種操作機器を視認可能な状態で載置または展示した状態で自動的に除菌する装置に関する。
【背景技術】
【０００２】  ２０１９年１２月に新型コロナウイルス感染症（ＣＯＶＩＤ−１９）の発生が報告されて約１年６ヶ月を経過した現在、未だ収束する兆しは見えない現状である。【０００３】  感染予防の対策としてマスクの着用、店舗の入り口、公共の場所や人々の集う場所に置かれたアルコール等の手指への散布による除菌など各種の対策が講じられている。【０００４】  また飲食店などでは客の入れ替え時に、その都度店員がテーブルや人の手が触れた可能性のある箇所の除菌作業を行っている。このような状況にあって、人々の手が触れた物品を介してウイルスが感染するおそれも十分に考えられる。【０００５】  スマートフォンやタブレット端末と呼ばれるタッチパネル技術を利用した情報端末機器はその視認性や無数の情報を表示しながら機器操作が可能になる利便性から広く普及しており、公共の場所や不特定多数の人が利用する店舗等においても、メニュー表示及び注文操作用の端末機器として採用が広がっている。【０００６】  世界的にまん延している新型コロナウイルスの影響により非接触の行動様式が求められ、こうした情報端末機器の採用は公共の場所や店舗でのコミュニケーションツールとしてさらに増加傾向にあるが、対人接触機会が削減される一方で、情報端末機器を不特定多数の人が操作するため、機器そのものを除菌する必要性が生じ、新たな課題となっている。【０００７】  スマートフォンやタブレット端末を除菌する方法として、アルコール等の薬剤で拭き上げる方法が一般的だが、不特定多数の人が利用する公共の場所や店舗においては除菌作業のタイミングや回数、正確性の設定が不安定であり、除菌作業に従事する人の安全性や作業性に大きな負担となっている。また場所や店舗の運営者や経営者にとっても専従者の配置による経済的な負担ともなっている。【０００８】  ハンディ端末の除菌装置として、紫外線光源を備えたケースに一定時間格納し除菌するタイプの装置（特許文献１）が提案されている。しかしこのようなケース収納式除菌装置の場合はハンディ端末の収納・除菌中はその機能が実質無効となってしまう不便さがある。【０００９】  さらにハンディ端末装置が公共の場所や飲食店あるいはスマホショップなどの店舗内に設置され、不特定多数の人にその端末を使用させる場合には、ケース型除菌装置への収納や除菌完了後の取り出し・再設置等の作業やその作業管理の負担が設置者側に伴うこととなる。
【先行技術文献】
【００１０】
【特許文献１】特許第６７４８８２９号
【考案の概要】
【考案が解決しようとする課題】
【００１１】  ハンディ端末を格納することなく単に置くだけで紫外光による除菌ができ、除菌中であってもハンディ端末の画面に表示される情報または随時更新された情報を視認可能であり、更に人体への有害な影響のない除菌装置でなければならない。
【課題を解決するための手段】
【００１２】  除菌のための光源として深紫外線ＵＶ−Ｃを採用し、概ね扁平状のハンディ端末に効率よくその紫外光線を照射する構造として、載置・除菌されるべきハンディ端末のディスプレイ画面に対向するように正面板を配置し、ハンディ端末の裏面に対向する位置にガイド板を配置した除菌装置を基本構造とし、正面板とガイド板との間に除菌対象ハンディ端末を載置するだけで、前記除菌装置の下部に設けた光源収納部からのＵＶ−Ｃ光が自動的に当該ハンディ端末に対して照射除菌する。【００１３】    紫外線は波長が１０〜４００ｎｍの電磁波であり、主な波長領域により、以下のように分類され、これらの領域のうち、ＵＶ−Ｃ（深紫外線）と呼ばれている波長が高い殺菌性を有し、一般的には２５４ｎｍの紫外線が殺菌ランプとして多く利用されている。
３１５〜４００ｎｍ：ＵＶ−Ａ
２８０〜３１５ｎｍ：ＵＶ−Ｂ
１００〜２８０ｎｍ：ＵＶ−Ｃ【００１４】    ＵＶ−Ｃはウイルス・細菌に対する高い殺菌性・不活性化という利点が見られる一方、ひとが長時間この波長の紫外線に曝露されると皮膚がんや白内障を発症させるなど悪影響をもたらすことが知られている。【００１５】  ＵＶ−Ｃは細菌、ウイルス、バクテリアなどのＤＮＡとＲＮＡを破壊するものとして４０年以上に亘り研究され、水銀ランプ、エキシマランプなどの殺菌用ランプが開発され、実際に使用されてきたが、ここに来て新型コロナウイルス感染症（ＣＯＶＩＤ−１９）のまん延に伴い、新型コロナウイルスへの有効性が注目されるようになった。【００１６】  ボストン大学国立新興感染症研究所は、ＵＶ−Ｃランプが９９％の新型コロナウイルスを６秒で不活性化したことが確認されたとの研究報告を発表している。【００１７】  自然光のＵＶ−Ｃはオゾン層で吸収されてしまい地表ではほとんど存在しないため問題とされないが、人工的な紫外線の場合、特に殺菌目的の紫外線ＵＶ−Ｃは人体の表皮に吸収されて皮膚がん発生の原因となりその有害性が問題となるため、人体へのＵＶ−Ｃ光の暴露を防御したり、暴露時間を抑制するなどの方策を講じる必要がある。【００１８】  このようなＵＶ−Ｃについて米国コロンビア大学放射線研究センターのデイビッド・ウェルチ教授と研究チームは２０７〜２２２ｎｍのＵＶ−Ｃがひとの皮膚や目に害を与えることなく細菌を不活性化できることを見出した。【００１９】  ２２２ｎｍのＵＶ−Ｃを照射することによりエアロゾル化したＨ１Ｎ１インフルエンザウイルスの９６％以上を効果的に不活性化したことを２０１８年２月に発表して、ＵＶ−Ｃがその他のウイルスに対する不活性化の可能性を示した。【００２０】  ２０２０年３月には神戸大学皮膚科学分野の錦織千佳子教授のチームは２２２ｎｍＵＶ−Ｃをマウスへの繰り返し照射をした研究結果から、人間の皮膚の滅菌にも安全に使用できることを示唆しているとの発表をした。【００２１】  ２０２０年４月２１日には米国コロンビア大学のデイビッド・ブレナー教授のチームが２２２ｎｍＵＶ−Ｃの新型コロナウイルスへの照射実験の結果、良好な結果を得られたことから、人間の生活空間に照射することで新型コロナウイルスの感染拡大を抑制する可能性があると発表した。【００２２】  前述の研究報告に基づき、紫外線照射による除菌をする場合、環境および状況に応じて一般的に使用されている２５４ｎｍ紫外線を含む１００〜２８０ｎｍＵＶ−Ｃと、ヒトに無害の２２２ｎｍ紫外線を使い分けることが好ましく、これらの条件を踏まえて本考案の除菌装置の提案をするものである。
【考案の効果】
【００２３】  スマートフォンやタブレット等の画面に常時表示される情報または随時更新された情報を本考案のハンディ端末除菌装置に載置、除菌中であっても視認することが可能である。【００２４】  本考案のハンディ端末除菌装置が載置台や載置部を備えた什器と兼ねた構造とすることで、ハンディ端末が販売用の展示品である場合には展示したまま除菌することが可能であり、来店客が手にとって試し操作した後に元の場所に戻すだけで除菌状態となり、また飲食店におけるオーダー入力ハンディターミナルを来店客や使用者が操作後ハンディ端末を元の位置に戻すだけで、ハンディ端末の除菌が可能となる。【００２５】  スマートフォンの場合には除菌中でも視認可能であるため、動画や着信履歴等、一部の機能が有効となる。
【図面の簡単な説明】
【００２６】
【図１】  本考案の本体の正面図である。
【図２】  本考案本体の側面図である。
【図３】  スマホを載置した状態を表す本考案の側面図である。
【図４】  スマホ画面表示部を正面板裏面に向けて載置した状態を表す本考案の正面図である。
【図５】  正面板裏面にＬＥＤ光源を設けて、充電供給部を備えた本考案の正面図である。
【図６】  正面板裏面にエッチング部を施した状態を示す本考案のガイド板を除外した背面図である。
【考案を実施するための形態】
【００２７】  本考案の基本的な除菌装置１は、図１および図２に示すように底面部３と、底面部３の前端から立垂させた正面板２、および底面部３の後端から立垂させたガイド板４からなる載置部と、底面部３下方に隣接して設けた紫外線光源６収納部とから構成される。
【００２８】  正面板２は透明素材から成り、紫外線遮蔽特性と可視光透過性とを合わせ持つアクリル樹脂製であることが望ましい。また透明正面板２の裏面５に透明の紫外線カットフィルムを貼付するまたは紫外線カットコーティング液剤を塗布することでより高度な紫外線の遮蔽と反射により内部での紫外線の拡散を図ることができる。
【００２９】  除菌装置１に載置された除菌対象のハンディ端末等の小型機器に紫外線光源６からＵＶ−Ｃ（深紫外線）を照射する。またこのＵＶ−Ｃ光源としては発光ダイオードＬＥＤを採用し、除菌対象となる機器の大きさにより任意にＬＥＤの出力の大きさを設定可能とするが望ましく、また小型化を考慮しない場合には光源としてエキシマランプを採用しても良い。
【００３０】  図３および図４はハンディ端末等７を置いた図である。このようにケースを開閉することなくハンディ端末等を載せるだけの作業で除菌できる状態となる。
【００３１】  底面部２はハンディ端末７の載置面と光源６収納部の上面部とを兼ねるもので、紫外線透過特性を有する透明樹脂板等から成る。またハンディ端末等を載せるだけで本除菌装置を起動させるための荷重センサー１２（または荷重スイッチ）を備える。
【００３２】  タイマー機能を有する回路設定により除菌対象となる機器の寸法やＬＥＤの出力に合わせ適正な除菌効果得るための照射時間の設定を可能とする。
ガイド板４はハンディ端末を支承、固定するガイドで、その高さや形状は、載置する端末の形状や既存の載置台・什器の形状に合わせて設定することができる。
【００３３】  基本的にスマートフォンやタブレット端末等の表示画面を有するハンディ端末の既存の載置台・什器等は表示画面を有効・視認化するため、ハンディ端末の背面を固定または保持、あるいは持たれかける形状として多く存在する。そのような箇所を流用改造もしくは本考案のハンディ除菌装置に置き換えるだけで極めて容易に除菌可能な本考案の装置を提供できる。
【００３４】  ガイド板４は内面側に拡散反射機能を有しハンディ端末背面への照射に寄与し、また紫外線の外部への漏れ防止のための遮蔽機能を有する。
除菌対象となるハンディ端末等の寸法によっては図５に示すようにＵＶ−Ｃ  ＬＥＤ８を正面板２の裏面に配置してハンディ端末画面に対向照射する構成を採るとより強力に除菌が可能となる。
【００３５】  さらにハンディ端末等の形状や寸法によっては、ＵＶ−Ｃ光源６やＵＶ−Ｃ光源８に紫外線透過特性を有する樹脂製のレンズ（図示せず）を搭載すればより効果的な照射角度の設定が可能である。
【００３６】  本考案における除菌装置は深紫外線ＵＶ−Ｃ、特に人体に無害である２２２ｎｍ波長の紫外線光源を採用することが望ましいが、より安全性を担保するために人感センサー１２を備えてヒトの接近に応じて紫外線照射を切断しても良い。あるいは除菌対象の端末機器を除菌スタンドに載置されたことを感知した時点で紫外線照射のための光源スイッチが入るようにして、例えば６０秒〜１８０秒など除菌に十分な適宜照射時間の経過後に光源のスイッチを切断するようにしても良い。
【００３７】  より便利な機能として、ハンディ端末等への充電供給部１０を除菌スタンドに具備させることもできる。
【００３８】  図６に示すように正面板２の内面側にエッチング加工部１１を設けることで、正面板２に導光性を持たせ、エッチング加工部１１からの紫外光線漏れを生じさせ局所的な照射を可能とすることもできる。この場合、透明の紫外線カットフィルムまたは紫外線カットコーティング材は正面板２の外面にそれぞれ貼付または塗布を施す。
【産業上の利用可能性】
【００３９】  本考案のハンディ端末除菌装置を採用設置することにより、飲食店、スマホショップ、端末機器展示場などにおいて、不特定多数の人が触れることとなるハンディ端末を載置部にもどすと同時にその都度除菌可能状態とすることでウイルスからの感染防御装置として極めて有効性を持つものである。
【符号の説明】
【００４０】  １  ハンディ端末除菌装置
２  正面板
３  底面部
４  ガイド板
５  正面板の裏面
６  ＵＶ−Ｃ光源
７  ハンディ端末
８  ＵＶ−Ｃ光源
９  人感センサー
１０  充電供給部
１１  エッチング加工部
１２  荷重センサー
【図１】
0003235436.tif 000003
【図２】
0003235436.tif 000004
【図３】
0003235436.tif 000005
【図４】
0003235436.tif 000006
【図５】
0003235436.tif 000007
【図６】
0003235436.tif 000008
【手続補正書】
【提出日】令和3年9月21日(2021.9.21)
【手続補正１】
【補正対象書類名】実用新案登録請求の範囲
【補正対象項目名】全文
【補正方法】変更
【補正の内容】
【実用新案登録請求の範囲】
【請求項１】
光源からの深紫外線ＵＶ−Ｃを照射することにより載置部に置かれた対象物を除菌するものであって、載置部は底面部と、その底面部の一方の上端部から立垂させた正面板および底面部の他方の上端部から立垂させたガイド板とから成り、底面部の隣接下部空間に光源を収納し、底面部に設けた荷重センサーにより、除菌対象物が載置されたことを感知してＵＶ−Ｃ光を除菌対象物に向けて照射することを特徴とするハンディ端末除菌装置。
【請求項２】
光源から発光される深紫外線ＵＶ−Ｃの波長は２２２ｎｍであることを特徴とする請求項１に記載のハンディ端末除菌装置。
【請求項３】
除菌対象物は、スマートフォン、タブレット、各種リモコン装置、ハンディスキャナーまたは飲食店におけるメニュー／オーダー情報送受信用ハンディターミナルのいずれかであることを特徴とする請求項１に記載のハンディ端末除菌装置。
【請求項４】
前記正面板の裏面にＬＥＤ光源を設けていることを特徴とする請求項１に記載のハンディ端末除菌装置。
【請求項５】
正面板の裏面にエッチングを施して、そのエッチング部から深紫外線ＵＶ−Ｃが漏洩することを特徴とする請求項１に記載のハンディ端末除菌装置。